【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
列車の運行状況を表示するための表示装置と通信可能に接続されている運行管理情報表示装置であって、
対象列車が運行される路線に設けられている施設の位置を示す施設位置情報を記憶している施設位置情報記憶部と、
前記表示装置から運行情報表示要求とともに受信する当該表示装置の位置を示す情報である表示装置位置情報と前記施設位置情報とを比較して前記表示装置がいずれの施設にあるかを特定するための抽出条件を設定する抽出条件設定処理部と、
鉄道事業者の列車運行管理装置から受信する運行中の列車位置を示す情報である列車位置情報と、前記表示装置があると特定された施設についての前記施設位置情報とを比較して前記施設から一定の距離以内に在線している列車を表示対象列車として抽出する表示対象列車抽出処理部と、
前記特定された施設を含む路線図と抽出された前記表示対象列車とを含む表示画面データを生成して前記表示装置に送出する画面表示処理部とを備えている、
運行管理情報表示装置。
【請求項２】
請求項１に記載の運行管理情報表示装置であって、
前記鉄道事業者の職員の所属、役割、勤務パターンの少なくともいずれかを含む使用者の属性情報を記憶するユーザ情報記憶部を備え、
前記抽出条件設定処理部は、前記表示装置から前記運行情報表示要求とともに受信する当該表示装置のユーザを特定する情報に基づいて当該ユーザの属性情報を前記ユーザ情報記憶部から取得して、前記表示装置がいずれの施設にあるかを特定する情報を補正する、運行管理情報表示装置。
【請求項３】
請求項１に記載の運行管理情報表示装置であって、
各ユーザごとに前記表示装置によって表示された画面情報を、表示した時間帯、および表示した施設の情報に関連付けて記憶する学習記憶部を備え、
前記抽出条件設定処理部は、前記表示装置のユーザを特定する情報により前記学習記憶部を検索し、前記抽出条件に合致する画面情報があると判定した場合、優先的に表示すべき情報である優先情報として当該画面情報を記憶し、前記表示装置がいずれの施設にあるかを特定する情報と、前記時間帯および前記表示した施設とにより前記優先情報を検索して、該当する前記優先情報があった場合当該優先情報を前記画面表示処理部に通知する、運行管理情報表示装置。
【請求項４】
請求項３に記載の運行管理情報表示装置であって、
前記抽出条件設定処理部は、前記表示装置のユーザを特定する情報により前記学習記憶部を検索し、前記抽出条件に合致する前記画面情報がないと判定した場合、該当ユーザ以外のユーザについて記録されている当該画面情報を、前記優先情報として記憶し、前記表示装置がいずれの施設にあるかを特定する情報と、前記時間帯および前記表示した施設とにより前記優先情報を検索して、該当する前記優先情報があった場合当該優先情報を前記画面表示処理部に通知する、運行管理情報表示装置。
【請求項５】
請求項３に記載の運行管理情報表示装置であって、
前記表示装置に表示された画面情報が利用された施設を特定する情報と、鉄道事業者の運行管理装置から取得する当該表示時に発生した事象に関する事象情報とを関連付けて記憶する統計情報記憶部を備え、
前記抽出条件設定処理部は、前記表示装置から運行状況表示要求を受けた際の時間帯、当該表示装置がある施設を特定する情報により前記統計情報記憶部を検索し、該当する画面情報があると判定した場合、当該画面情報を前記優先情報として利用する、運行管理情報表示装置。
【請求項６】
請求項５に記載の運行管理情報表示装置であって、
各ユーザが実際に表示装置によって表示させた画面の情報である実績画面情報を記憶しており、前記実績画面情報に関連付けられている表示対象列車情報と当該実績画面情報により表示した表示内容により前記優先情報を検索し、対応する前記優先情報があると判定した場合、当該優先情報の優先順位を上げる処理を実行する、運行管理情報表示装置。
【請求項７】
請求項３に記載の運行管理情報表示装置であって、
前記ユーザが前記表示装置により運行情報を表示させた場合、当該ユーザを特定する情報と関連付けて当該ユーザが表示させた前記画面情報を前記学習記憶部に記憶させる、運行管理情報表示システム。
【請求項８】
請求項１に記載の運行管理情報表示装置であって、
前記画面表示処理部は、前記表示対象列車について前記表示装置の表示画面において当該表示対象列車を視覚的に強調する処理を施す、運行管理情報表示システム。
【請求項９】
請求項１に記載の運行管理情報表示装置であって、
前記鉄道事業者の職員の所属、役割、勤務パターンの少なくともいずれかを含むユーザの属性情報を記憶するユーザ情報記憶部を備え、
前記抽出条件設定処理部は、前記表示装置から前記運行情報表示要求とともに受信する当該表示装置のユーザを特定する情報に基づいて当該ユーザの属性情報を前記ユーザ情報記憶部から取得して、前記表示装置がいずれの施設にあるかを特定する情報を補正し、
各ユーザごとに前記表示装置によって表示された前記画面情報を、表示した前記時間帯、および表示した前記施設の情報に関連付けて記憶する学習記憶部を備え、
前記抽出条件設定処理部は、前記表示装置のユーザを特定する情報により前記学習記憶部を検索し、前記抽出条件に合致する前記画面情報があると判定した場合、優先的に表示すべき情報である優先情報として当該画面情報を記憶し、前記表示装置がいずれの施設にあるかを特定する情報と、前記時間帯および前記表示した施設とにより前記優先情報を検索して、該当する前記優先情報があった場合当該優先情報を前記画面表示処理部に通知し、
前記抽出条件設定処理部は、前記表示装置のユーザを特定する情報により前記学習記憶部を検索し、前記条件に合致する前記画面情報がないと判定した場合、該当ユーザ以外のユーザについて記録されている当該画面情報を、前記優先情報として記憶し、前記表示装置がいずれの施設にあるかを特定する情報と、前記時間帯および前記表示した施設とにより前記優先情報を検索して、該当する前記優先情報があった場合当該優先情報を前記画面表示処理部に通知し、
前記表示装置に表示された前記画面情報が利用された施設を特定する情報と、鉄道事業者の運行管理装置から取得する当該表示時に発生した事象に関する事象情報とを関連付けて記憶する統計情報記憶部を備え、
前記抽出条件設定処理部は、前記表示装置から運行状況表示要求を受けた際の時間帯、当該表示装置がある施設を特定する情報により前記統計情報記憶部を検索し、該当する前記画面情報があると判定した場合、当該画面情報を前記優先情報として利用し、
各ユーザが実際に表示装置によって表示させた画面の情報である実績画面情報を記憶しており、前記実績画面情報に関連付けられている表示対象列車情報と当該実績画面情報により表示した表示内容により前記優先情報を検索し、対応する前記優先情報があると判定した場合、当該優先情報の優先順位を上げる処理を実行し、
前記ユーザが前記表示装置により運行情報を表示させた場合、当該ユーザを特定する情報と関連付けて当該ユーザが表示させた前記画面情報を前記学習記憶部に記憶させ、
前記画面表示処理部は、前記表示対象列車について前記表示装置の表示画面において当該表示対象列車を視覚的に強調する処理を施す、運行管理情報表示装置。
【請求項１０】
列車の運行状況を表示するための表示装置と、当該表示装置と通信可能に接続されている処理装置とを有する運行管理情報表示システムであって、
前記処理装置は、
対象列車が運行される路線に設けられている施設の位置を示す施設位置情報を記憶している施設位置情報記憶部と、
前記表示装置から運行情報表示要求とともに受信する当該表示装置の位置を示す情報である表示装置位置情報と前記施設位置情報とを比較して前記表示装置がいずれの施設にあるかを特定する抽出条件設定処理部と、
鉄道事業者の列車運行管理装置から受信する運行中の列車位置を示す情報である列車位置情報と、前記表示装置があると特定された施設についての前記施設位置情報とを比較して前記施設から一定の距離以内に在線している列車を表示対象列車として抽出する表示対象列車抽出処理部と、
前記特定された施設を含む路線図と抽出された前記表示対象列車とを含む表示画面データを生成して前記表示装置に送出する画面表示処理部とを備えている、
運行管理情報表示システム。
【請求項１１】
列車の運行状況を表示するための表示装置と、当該表示装置と通信可能に接続されている処理装置とによって実行される運行管理情報表示方法であって、
前記処理装置が、
対象列車が運行される路線に設けられている施設の位置を示す施設位置情報を記憶し、
前記表示装置から運行情報表示要求とともに受信する当該表示装置の位置を示す情報である表示装置位置情報と前記施設位置情報とを比較して前記表示装置がいずれの施設にあるかを特定し、
鉄道事業者の列車運行管理装置から受信する運行中の列車位置を示す情報である列車位置情報と、前記表示装置があると特定された施設についての前記施設位置情報とを比較して前記施設から一定の距離以内に在線している列車を表示対象列車として抽出し、
前記特定された施設を含む路線図と抽出された前記表示対象列車とを含む表示画面データを生成して前記表示装置に送出する、
運行管理情報表示方法。
【手続補正２】
【補正対象書類名】明細書
【補正対象項目名】０００６
【補正方法】変更
【補正の内容】
【０００６】
上記の目的を達成する本願発明の一態様は、列車の運行状況を表示するための表示装置と通信可能に接続されている運行管理情報表示装置であって、
対象列車が運行される路線に設けられている施設の位置を示す施設位置情報を記憶している施設位置情報記憶部と、
前記表示装置から運行情報表示要求とともに受信する当該表示装置の位置を示す情報である表示装置位置情報と前記施設位置情報とを比較して前記表示装置がいずれの施設にあるかを特定するための抽出条件を設定する抽出条件設定処理部と、
鉄道事業者の列車運行管理装置から受信する運行中の列車位置を示す情報である列車位置情報と、前記表示装置があると特定された施設についての前記施設位置情報とを比較して前記施設から一定の距離以内に在線している列車を表示対象列車として抽出する表示対象列車抽出処理部と、
前記特定された施設を含む路線図と抽出された前記表示対象列車とを含む表示画面データを生成して前記表示装置に送出する画面表示処理部とを備えている。